(57)【要約】【課題】ハードウエア規模を増加させずにロングコード同定にかかる時間を大幅に短縮すること。【解決手段】送信側では、全基地局共通のショートコードで拡散したマスクシンボルを１送信フレーム中に等間隔に設けて、ロングコードグループ識別ショートコードで拡散したシンボルを、所定のパターンに従って、マスクシンボルに多重化して送信する。受信側では、ロングコードグループ識別ショートコードを検出する際に、パターン検出部１１３で多重化されたシンボルのパターンを検出してロングコード位相を求める。そのロングコード位相に基づいて、ロングコードグループ内のロングコードを探索する。【選択図】図２
2007202199.tif 000002
【特許請求の範囲】
【請求項１】
複数のスロットから成るフレームより構成され、各スロットの所定位置に各スロット共通の第１コードと複数の第２コードから選択された一の第２コードとが配置された信号を受信するＣＤＭＡ無線通信装置であって、
前記第１コードを用いて各スロットのスロットタイミングを特定する手段と、
特定されたスロットタイミングに基づいて、各スロットに配置された前記第２コードが前記複数の第２コードのいずれであるかを各スロット毎に特定する手段と、
各スロット毎に特定された複数の第２コードの系列パターンに基づいて、フレームタイミングを特定すると共にロングコードグループを特定する手段と、
特定されたフレームタイミングに基づいて、特定されたロングコードグループに属する複数のロングコードの中からロングコードを特定する手段と、
を具備するＣＤＭＡ無線通信装置。
【発明の詳細な説明】
【技術分野】
【０００１】
本発明は、携帯電話などの移動体端末を用いた基地局間非同期ＣＤＭＡ無線通信システムに関し、特に、基地局で用いるロングコードを同定するＣＤＭＡ無線通信装置に関する。
【背景技術】
【０００２】
携帯電話や自動車電話などの移動体端末を用いた基地局間非同期ＣＤＭＡセルラ無線通信システムでは、移動体端末の電源をオンした時の初期同期確立作業や移動に伴うセル切替え（ハンドオーバ）などにセルサーチを行なう必要がある。
【０００３】
このセルサーチは、下り制御チャネル信号に用いられる各セル共通のショートコード及び各基地局固有のロングコードのうち、ロングコードを部分的にマスクし、マスクした部分についてショートコードで相関検出を行なって、ロングコードのタイミング及びその種類を検出することにより行なう。
【０００４】
具体的に、基地局間非同期ＣＤＭＡセルラ移動通信システムにおいては、送信側（基地局）では、サーチ用コード（サーチコード）として、各セル共通のショートコード（ＣＳＣ）で拡散されたシンボル及び各セルのロングコードが属するグループに応じたロングコードグループ識別ショートコード（ＧＩＣ）で拡散されたシンボルを、スロットごとに１フレーム中に等間隔に（例えばスロット毎に）複数設けた、ロングコードのマスク部分にコード多重して送信する。
【０００５】
受信側（移動体端末）では、まず、各セル共通のショートコードを用いてスロットのタイミングを検出する。その後、ロングコードグループ識別ショートコードを用いてサーチすべきロングコードの候補を限定し、さらにこのロングコードの候補からセル固有のロングコードを特定する。
【０００６】
図１６は、従来の基地局間非同期ＣＤＭＡセルラ移動通信システムにおける無線通信装置（移動体端末）の初期同期部の構成を示すブロック図である。基地局から送信された信号は、移動体端末で受信されて入力信号２０となる。入力信号２０は、マッチドフィルタ３において、共通ショートコード発生部１で発生された全基地局共通のショートコードとの間で相関処理される。
【０００７】
マッチドフィルタ３の出力は、電力変換部４で電力値に変換され、この電力値は、平均化部５で平均化される。平均化に必要とされる相関値の電力値はメモリ２に格納される。所定期間において、平均化された電力値のうち最大値が最大値検出部６で検出され、マスクシンボルタイミング発生部７において、検出されたタイミングがマスクシンボルタイミングとされる。
【０００８】
一方、入力信号２０は、相関器８において、ロングコードグループ識別ショートコード発生部１２で順次発生されたロングコードグループ識別ショートコードと、前記マスクシンボルタイミングで順次相関処理される。それぞれの相関器８の出力は、電力変換部９で電力値に変換され、所定期間で得られた電力値が積分部１０で積分される。次いで、最大値検出部１１において、積分された電力値の最大値が検出され、この最大値のロングコードグループ識別ショートコードによりロングコードグループが同定される。なお、最大値検出部１１の出力は、ロングコードタイミング制御部２１に送られる。
【０００９】
また、入力信号２０は、相関器１５において、ロングコード×ショートコード発生部１９で発生したロングコード及びショートコードとの間で相関処理される。ロングコード×ショートコード発生部１９で発生させるロングコード×ショートコードについては、ロングコードタイミング制御部２１によりロングコードの位相をサーチコード単位で（例えばスロット単位で）変化させる。また、このロングコードは、前記のように同定されたロングコードグループに属するロングコードから順次選択される。
【００１０】
相関器１５の出力は、電力変換部１６で電力値に変換され、所定期間に得られた電力値が積分部１７で積分される。次いで、閾値判定部１８で積分値が閾値を超えるかどうかを判定し、閾値を超えたときのロングコードをその基地局のロングコードと同定し、そのスロットのタイミングをロングコードの位相と同定する。すなわち、スロットの数だけ位相を変化させて相関処理を行なうと共に、全基地局共通ショートコードの相関値の積分値が閾値を超えるまで、ロングコードグループに属するロングコード順次変えて相関処理を行なう。このようにして、セルサーチが行われる。
【発明の開示】
【発明が解決しようとする課題】
【００１１】
しかしながら、上記従来のＣＤＭＡ無線通信装置の初期同期部においては、ロングコードグループの中からロングコードを同定する段階において、スロットの数だけ位相が異なるため、ロングコード種類の同定とともに、ロングコード位相の検出も行なわなければならない。したがって、ロングコード同定、すなわち初期同期に非常に多くの時間が必要であるという問題を有する。一方、ロングコード同定を並列的にハードウェアで処理すれば、ロングコード同定の時間を短縮することができるが、ハードウェア規模が膨大になるという問題がある。
【００１２】
本発明の目的は、ハードウェア規模を増加させずにロングコード同定にかかる時間を大幅に短縮するＣＤＭＡ無線通信装置を提供することである。
【課題を解決するための手段】
【００１３】
本発明のＣＤＭＡ無線通信装置は、複数のスロットから成るフレームより構成され、各スロットの所定位置に各スロット共通の第１コードと複数の第２コードから選択された一の第２コードとが配置された信号を受信するＣＤＭＡ無線通信装置であって、前記第１コードを用いて各スロットのスロットタイミングを特定する手段と、特定されたスロットタイミングに基づいて、各スロットに配置された前記第２コードが前記複数の第２コードのいずれであるかを各スロット毎に特定する手段と、各スロット毎に特定された複数の第２コードの系列パターンに基づいて、フレームタイミングを特定すると共にロングコードグループを特定する手段と、特定されたフレームタイミングに基づいて、特定されたロングコードグループに属する複数のロングコードの中からロングコードを特定する手段と、  を具備する構成を採る。
【発明の効果】
【００１４】
本発明によれば、ハードウェア規模を増加させずにロングコード同定にかかる時間を大幅に短縮することができる。
【発明を実施するための最良の形態】
【００１５】
本発明の第１の態様のＣＤＭＡ無線通信装置は、ロングコードマスクを用いたセルサーチの際に使用されるマスクシンボルのタイミングを検出する手段と、検出されたタイミングでロングコードグループを同定する手段と、マスクシンボルに関するパターンデータからロングコードの位相を検出する手段と、同定されたロングコードグループからロングコードを同定する手段と、を具備する構成を採る。
【００１６】
この構成によれば、マスクシンボルに関するパターンデータからロングコードの位相を検出するので、シンボル毎にずらしてロングコードの位相を検出する必要がなく、膨大なハードウェアを必要とせずに、ロングコード位相の検出を短時間にすることができる。
【００１７】
本発明の第２の態様のＣＤＭＡ無線通信装置は、第１の態様において、前記パターンデータは、相関値のパターンデータである構成を採る。
【００１８】
本発明の第３の態様のＣＤＭＡ無線通信装置は、第１の態様において、前記パターンデータは、前記マスクシンボルについて拡散されたロングコード位相情報のパターンデータである構成を採る。
【００１９】
本発明の第４の態様のＣＤＭＡ無線通信装置は、第１の態様において、前記マスクシンボルは、異なるショートコードにより拡散されたシンボルが多重化されたシンボルである構成を採る。
【００２０】
これらの構成によれば、受信側において既知のパターンであるので、より正確にロングコード位相を検出することができる。
【００２１】
本発明の第５の態様のＣＤＭＡ無線通信装置は、ロングコードマスクを用いたセルサーチの際に使用されるマスクシンボルのタイミングを検出する手段と、マスクシンボルに関するパターンデータからロングコードの位相を検出すると共にロングコードを同定する手段と、を具備する構成を採る。
【００２２】
この構成によれば、マスクシンボルに関するパターンデータからロングコードの位相を検出すると共にロングコードを同定するので、より迅速にセルサーチを行なうことができる。
【００２３】
本発明の第６の態様のＣＤＭＡ無線通信装置は、第５の態様において、前記パターンデータは、異なるショートコードにより拡散されたシンボルが１スロット内で存在する位置のパターンデータである構成を採る。
【００２４】
この構成によれば、受信側において既知のパターンであるので、より正確にロングコードの位相を検出すると共にロングコードを同定することができる。
【００２５】
本発明の第７の態様のＣＤＭＡ無線通信装置は、ロングコードマスクを用いたセルサーチの際に使用されるマスクシンボルのタイミングを検出する手段と、マスクシンボルに関するパターンデータからロングコードグループの同定を行なうと共に、ロングコードの位相及びロングコードの種類を検出する手段と、を具備する構成を採る。
【００２６】
この構成によれば、ロングコードグループの同定時間と、ロングコードの種類の同定時間を短縮することができるので、初期同期時間をさらに短縮することができる。
【００２７】
本発明の第８の態様のＣＤＭＡ無線通信装置は、ロングコードマスクを用いたセルサーチの際に使用されるマスクシンボルのタイミングを検出する手段と、検出されたタイミングでロングコードグループを同定する手段と、検出されたロングコードグループにおけるロングコードの位相を検出する手段と、同定されたロングコードグループからロングコードを同定する手段と、を具備し、ロングコードグループを同定する手段は、マスクシンボルデータを保持するメモリを有する構成を採る。
【００２８】
この構成によれば、時分割処理によりロングコードグループ識別用ショートコード同定にかかる時間を大幅に短縮することができる。
【００２９】
本発明の第９の態様のＣＤＭＡ無線通信装置は、ロングコードマスクを用いたセルサーチの際に使用されるマスクシンボルの位置関係からロングコードの位相を検出する手段と、同定されたロングコードグループからロングコードを同定する手段と、を具備し、前記マスクシンボルは、異なるショートコードにより拡散されたシンボルが１スロット内で異なる位置に存在する構成を採る。
【００３０】
この構成によれば、マスクシンボルの位置関係からロングコードグループを短時間で同定するので、初期同期時間を大幅に短縮することができる。
【００３１】
本発明の第１０の態様の通信端末装置は、第１の態様乃至第９の態様のいずれかのＣＤＭＡ無線通信装置を備えた構成を採る。
【００３２】
本発明の第１１の態様の基地局装置は、第１０の態様の通信端末装置と無線通信を行なう構成を採る。
【００３３】
本発明の第１２の態様のＣＤＭＡ無線通信システムは、第１０の態様の通信端末装置と、第１０の態様の通信端末装置と無線通信を行なう基地局装置と、を具備する構成を採る。
【００３４】
これらの構成によれば、上述したＣＤＭＡ無線通信装置を備えているので、ディジタル無線通信システムにおいて、セルサーチを高速に行なうことができる。
【００３５】
本発明の第１３の態様のＣＤＭＡ無線通信システムは、ロングコードをマスクし全基地局共通のショートコードのみで拡散した第１マスクシンボルを１フレーム中に等間隔に設け、ロングコードをマスクしロングコードグループ識別ショートコードのみで拡散した第２マスクシンボルを、所定のパターンに従って前記第１マスクシンボルに多重化して送信する送信手段と、受信信号と前記全基地局共通のショートコードとの相関をとり第１相関値を求める手段と、前記第１相関値の最大値を検出して前記第１マスクシンボルのタイミングを検出する手段と、前記第２マスクシンボルと、ロングコードグループ識別ショートコードの候補との相関を順次とり第２相関値を求める手段と、前記第２相関値が最大となる候補をロングコードグループ識別ショートコードとしてロングコードグループを求めるとともに、前記第２マスクシンボルと前記ロングコードグループ識別ショートコードとの相関パターンからロングコード先頭位置を検出してロングコード位相を求める手段と、前記ロングコード位相で前記ロングコードグループの内のロングコードと前記受信信号との相関を順次とり第３相関値を求める手段と、前記第１相関値の最大値から算出した閾値を超えた第３相関値に対応するロングコードを前記受信信号を送信した基地局のロングコードと同定する手段と、を具備する構成を採る。
【００３６】
この構成によれば、ロングコードグループ識別用ショートコードを検出する際にロングコードの先頭位置を検出するので、ロングコード位相の検出時間を短縮することができる。
【００３７】
本発明の第１４の態様のＣＤＭＡ無線通信システムは、ロングコードをマスクし全基地局共通のショートコードで拡散した第１マスクシンボルを１フレーム中に等間隔に設け、ロングコードをマスクしロングコードグループ識別ショートコードで拡散した第２マスクシンボルを、所定パターンに従って前記第１マスクシンボルの一定シンボル後に設けて送信する送信手段と、受信信号と前記全基地局共通のショートコードとの相関をとり第１相関値を求める手段と、前記第１相関値の最大値を検出して前記第１マスクシンボルのタイミングを検出する手段と、前記第２マスクシンボルとロングコードグループ識別ショートコードの候補との相関を順次とり第２相関値を求める手段と、前記第２相関値が最大となる候補をロングコードグループ識別ショートコードとしてロングコードグループを求めるとともに、前記第２マスクシンボルと前記ロングコードグループ識別ショートコードとの相関パターンからロングコード先頭位置を検出してロングコード位相を求める手段と、前記ロングコード位相で前記ロングコードグループの内のロングコードと前記受信信号との相関を順次とり第３相関値を求める手段と、前記第１相関値の最大値から算出した閾値を超えた第３相関値に対応するロングコードを前記受信信号を送信した基地局のロングコードと同定する手段と、を具備する構成を採る。
【００３８】
この構成によれば、初期同期を取るためのマスクシンボルの相関値のパワーを大きくすることができる。
【００３９】
本発明の第１５の態様のＣＤＭＡ無線通信システムは、第１３の態様において、前記第１マスクシンボルにロングコード位相情報を割り当てて前記全基地局共通のショートコードで拡散する手段と、前記全基地局共通のショートコードで前記第１マスクシンボルを復調して復調データを求める手段と、前記復調データのパターンからロングコード位相を検出する手段と、をさらに具備する構成を採る。
【００４０】
この構成によれば、マスクシンボルにロングコード位相情報を拡散して送信するので、ロングコード同定にかかる時間を大幅に短縮することができる。
【００４１】
本発明の第１６の態様のＣＤＭＡ無線通信システムは、第１３の態様において、前記第２マスクシンボルにロングコード位相情報を割り当ててロングコードグループ識別ショートコードで拡散する手段と、前記ロングコードグループ識別ショートコードで前記第２マスクシンボルを復調して復調データを求める手段と、前記復調データのパターンからロングコード位相を検出する手段と、をさらに具備する構成を採る。
【００４２】
この構成によれば、マスクシンボルにロングコード位相情報を拡散して送信するので、ロングコード同定にかかる時間を大幅に短縮することができる。
【００４３】
本発明の第１７の態様のＣＤＭＡ無線通信システムは、第１３の態様において、前記第１マスクシンボルにロングコード位相情報を割り当てて前記全基地局共通のショートコードで拡散し、前記第２マスクシンボルに前記ロングコード位相情報を割り当てて前記ロングコードグループ識別ショートコードで拡散する手段と、前記全基地局共通のショートコードで前記第１マスクシンボルを復調して第１復調データを求める手段と、前記ロングコードグループ識別ショートコードで前記第２マスクシンボルを復調して第２復調データを求める手段と、前記第１復調データのパターンと前記第２復調データのパターンの両方からロングコード位相を検出する手段と、をさらに具備する構成を採る。
【００４４】
この構成によれば、マスクシンボルにロングコード位相情報を拡散して送信するので、ロングコード同定にかかる時間を大幅に短縮することができる。
【００４５】
本発明の第１８の態様のＣＤＭＡ無線通信システムは、第１３の態様において、前記第２マスクシンボルのデータを保持するバッファメモリと、前記バッファメモリに保持された前記第２マスクシンボルと前記ロングコードグループ識別ショートコードとの相関処理を時分割で行なう手段と、をさらに具備する構成を採る。
【００４６】
この構成によれば、時分割処理によりロングコードグループ識別用ショートコード同定にかかる時間を大幅に短縮することができる。
【００４７】
本発明の第１９の態様のＣＤＭＡ無線通信システムは、ロングコードをマスクしたマスクシンボルにロングコードグループ識別データを割り当てて全基地局共通のショートコードで拡散して送信する手段と、受信信号と前記全基地局共通のショートコードとの相関値の最大値から前記マスクシンボルのタイミングを検出する手段と、前記マスクシンボルを前記全基地局共通のショートコードで復調して、前記マスクシンボルから前記ロングコードグループ識別データを取り出し、前記ロングコードグループ識別データのパターンからロングコードグループ及びロングコード位相を判別する手段と、前記ロングコード位相で、前記受信信号と前記ロングコードグループの内のロングコードとの相関を順次とり、相関値が前記全基地局共通のショートコードから算出した閾値を超えたロングコードを、前記受信信号を送信した基地局のロングコードと同定する手段と、を具備する構成を採る。
【００４８】
この構成によれば、ロングコードグループ識別用ショートコードを用いずに、マスクシンボルのロングコードグループ識別データからロングコードグループを判別するので、初期同期の時間を短縮することができる。
【００４９】
本発明の第２０の態様のＣＤＭＡ無線通信システムは、ロングコードをマスクし第１の全基地局共通のショートコードのみで拡散した第１マスクシンボルと、第２の全基地局共通のショートコードのみで拡散した第２マスクシンボルを、１フレーム中に等間隔で互いに異なる位置に配置して送信する手段と、マッチドフィルタ又はスライディング相関器を用いて、受信信号と前記第１の全基地局共通のショートコードとの相関を取り、相関値の最大値から前記第１マスクシンボルのタイミングを検出する手段と、前記受信信号と前記第２の全基地局共通のショートコードとの相関値の最大値を検出し、前記第１の全基地局共通のショートコードと前記第２の全基地局共通のショートコードの各相関値の最大値の位置関係から、ロングコードグループを判別する手段と、前記受信信号と前記ロングコードグループの中の候補との相関を順次位相をずらして取り、相関値が前記全基地局共通のショートコードの相関値を基に求めた閾値を超えたロングコードを前記受信信号を送信した基地局のロングコードと同定する手段と、を具備する構成を採る。
【００５０】
この構成によれば、マスクシンボルの位置関係からロングコードグループを短時間で同定するので、初期同期時間を大幅に短縮することができる。
【００５１】
本発明の第２１の態様のＣＤＭＡ無線通信システムは、第２０の態様において、前記第１マスクシンボルにロングコード位相情報を割り当てて第１の全基地局共通のショートコードのみで拡散し、前記第２マスクシンボルにロングコード位相情報を割り当てて第２の全基地局共通のショートコードのみで拡散する手段と、前記第１マスクシンボルから復調した情報と前記第２マスクシンボルから復調した情報を用いて、ロングコード位相を検出する手段と、前記ロングコード位相で、前記受信信号と前記ロングコードグループの中の候補との相関を順次取り、相関値が前記全基地局共通のショートコードの相関値を基に求めた閾値を超えたロングコードを、前記受信信号を送信した基地局のロングコードと同定する手段と、をさらに具備する構成を採る。
【００５２】
この構成によれば、マスクシンボルのロングコード位相情報からロングコード位相を同定するので、初期同期時間を大幅に短縮することができる。
【００５３】
本発明の第２２の態様のＣＤＭＡ無線通信システムは、第２０の態様において、前記第１マスクシンボルにロングコード種類の情報を割り当てて前記第１の全基地局共通のショートコードのみで拡散し、前記第２マスクシンボルに前記ロングコード種類の情報を割り当てて前記第２の全基地局共通のショートコードのみで拡散する手段と、前記第１マスクシンボル及び前記第２マスクシンボルを前記全基地局共通のショートコードで復調して前記ロングコード種類の情報を取り出し、前記ロングコード種類の情報のパターンからロングコード位相を判別する手段と、前記ロングコードグループの情報と前記ロングコード種類の情報を用いて、ロングコードの種類を決定する手段と、をさらに具備する構成を採る。
【００５４】
この構成によれば、ロングコードグループの同定時間と、ロングコードの種類の同定時間を短縮することができるので、初期同期時間をさらに短縮することができる。
【００５５】
本発明者は、受信側において相関電力値のパターンや拡散されたデータパターンに着目し、これらのパターンを利用してロングコード位相を検出できることを見出し本発明をするに至った。
【００５６】
以下、本発明の実施の形態について、添付図面を参照して詳細に説明する。なお、以下の実施形態においては、基地局間が非同期であるＣＤＭＡ無線通信システムについて説明する。
【００５７】
（第１の実施形態）
本実施形態においては、２つのショートコードで拡散したマスクシンボルの多重化パターンからロングコードの位相を検出するＣＤＭＡ移動通信システムについて説明する。
【００５８】
図１は、ＣＤＭＡ無線通信システムの概略構成を示すブロック図である。このシステムにおいては、基地局側で、送信信号はフレーム構成部２０１により所定のフレームフォーマットにしたがってフレーム構成され、無線部２０２を介してアンテナ２０３から送信される。一方、移動体端末側では、信号がアンテナ２０４で受信され、無線部２０５を介して初期同期部２０６に送られる。なお、図１において、基地局及び移動体端末におけるＣＤＭＡ特有の処理部については通常と同じであるので省略する。
【００５９】
図２は、本発明の第１の実施形態に係るＣＤＭＡ無線通信装置（移動体端末）の初期同期部の構成を示すブロック図である。図２において、基地局から送信された信号は、移動体端末で受信されて入力信号１２０となる。入力信号１２０は、マッチドフィルタ１０３において、全基地局共通ショートコード発生部１０１で発生された全基地局共通のショートコードとの間で相関処理される。
【００６０】
マッチドフィルタ１０３の出力は、電力変換部１０４で電力値に変換され、この電力値は、平均化部１０５で平均化される。平均化に必要とされる相関値の電力値、例えば１スロット分のチップ数のデータは、メモリ１０２に格納される。所定期間において、平均化された電力値のうち最大値が最大値検出部１０６で検出され、マスクシンボルタイミング発生部１０７において、検出されたタイミングがマスクシンボルタイミングとされる。これにより、スロットタイミングが検出され、同時にシンボルのタイミングも検出される。このようにしてマスクシンボルタイミング工程が完了する。
【００６１】
一方、入力信号１２０は、相関器１０８において、ロングコードグループ識別ショートコード発生部１１２で発生されたロングコードグループ識別ショートコードと、前記マスクシンボルタイミングで相関処理される。相関器１０８の出力は、電力変換部１０９で電力値に変換され、所定期間に得られた電力値が積分部１１０で積分される。次いで、最大値検出部１１１において、積分された電力値の最大値が検出され、この最大値のロングコードグループ識別ショートコードによりロングコードグループが同定される。なお、最大値検出部１１１の出力は、ロングコード×ショートコード発生部１１９に送られる。
【００６２】
電力変換部１０９の出力は、パターン検出部１１３に送られ、１フレーム分のマスクシンボルの既知パターンの検出が行われて、ロングコードの位相（例えば、ロングコードの先頭スロット）が検出される。その結果がロングコードタイミング発生部１１４に送られ、ロングコードタイミング発生部１１４においてロングコードタイミングが決定される。決定されたロングコードタイミングは、ロングコード×ショートコード発生部１１９に送られる。これにより、ロングコードグループ同定工程及びロングコードタイミング工程が完了する。
【００６３】
また、入力信号１２０は、決定されたロングコードタイミングで、ロングコード×ショートコード発生部１１９で発生したロングコード×ショートコードとの間で相関処理される。相関器１１５の出力は、電力変換部１１６で電力値に変換され、所定期間に得られた電力値が積分部１１７で積分される。次いで、閾値判定部１１８において、最大値検出部１０６で検出された最大値のうち閾値を超えるロングコードをその基地局のロングコードと同定する。これにより、ロングコード同定工程が完了する。
【００６４】
なお、上記構成において、マッチドフィルタ１０３のかわりに、スライディング相関器を用いてもよい。
【００６５】
上記のように構成されたＣＤＭＡ無線通信装置の初期同期部における動作について説明する。まず、送信側（基地局）では、送信信号について、図３に示すように、等間隔でスロットごとにロングコードをマスクしたマスクシンボルを設けるようにフレーム構成を行なう。ここでは説明を簡単にするため、スロットの先頭にマスクシンボルを設ける場合について説明する。
【００６６】
図３に示すフレーム構成においては、ロングコードがフレーム周期で繰り返されており、ロングコードの先頭がフレームの先頭となっている。また、このフレーム構成においては、マスクシンボルについて、全基地局共通のショートコードのみで拡散したデータと、ロングコードグループ識別ショートコードのみで拡散したデータとが多重化されている。一方、その他のシンボルについては、全基地局共通のショートコードと基地局固有のロングコードとで２重に拡散される。ただし、ロングコードグループ識別ショートコードのみで拡散したデータは、全基地局共通のショートコードで拡散したシンボルにおける所定の位置に多重化されるので、全基地局共通のショートコードで拡散したシンボルであってもロングコードグループ識別ショートコードのみで拡散したデータが多重化されない部分も存在する。なお、この所定の位置は、基地局及び移動体端末で既知である。
【００６７】
受信側（移動体端末）では、マスクシンボルタイミングの検出、ロングコードグループの同定、及びロングコードの同定の順でセルサーチ処理が行なわれる。
【００６８】
まず、マスクシンボルタイミング検出工程において、受信されたデータ（入力信号１２０）は、マッチドフィルタ１０３で全基地局共通のショートコードとの間で相関処理され、その相関値はチップ速度で出力される。相関値の出力データは、電力変換部１０４で電力値に変換される。この電力値はメモリ１０２に格納され、メモリ１０２に格納された電力値は、平均化部１０５で複数スロット分、足し合わされ、規定回数で平均化される。
【００６９】
相関値（電力値）は、図４に示すように、マスクシンボルの位置で最大となる。したがって、平均化部１０５での平均化した電力値もマスクシンボルの位置で最大となる。この最大値を最大値検出部１０６で検出し、この最大値に基づいてマスクシンボルタイミング発生部１０７でマスクシンボルタイミング、すなわちスロットのタイミングを検出する。
【００７０】
次に、ロングコードグループ同定工程において、検出したマスクシンボルタイミングで、ロングコードグループ識別ショートコード発生部１１２が、順次すべてのロングコードグループ識別ショートコードを１フレーム単位で変化させて発生させ、相関器１０８においてこのロングコードグループ識別ショートコードと入力信号におけるマスクシンボルとの間の相関をとる。積分部１１０では、１フレーム分の前記マスクシンボルとロングコードグループ識別ショートコードとの間の相関電力値を積分する。最大値検出部１１１において、すべてのロングコードグループ識別ショートコードのうちで積分値が最大のものを、その基地局のロングコードグループ識別ショートコードと同定する。
【００７１】
このとき、１フレームにおけるマスクシンボルの相関値（電力値）のパターンから、フレームの先頭のスロットを検出する。送信側のフレームにおいて、マスクシンボルでロングコードグループ識別ショートコードが多重化されている部分は、図５に示すようなパターンである。この例の多重化パターンは“1111011110101100”である。なお、図５は、マスクシンボルのみを抽出し、その他のシンボルを省略した状態を示す。
【００７２】
受信側において、１フレームにおけるマスクシンボルとロングコードグループ識別ショートコードの相関電力値は、図５に示すように、ロングコードグループ識別ショートコードで拡散したシンボルを多重化した位置で高くなっている。このパターンは、図５の送信側のフレームにおいて、ロングコードグループ識別ショートコードが多重化されている部分のパターンと同じである。このパターンは、識別することが可能であるので、パターン検出部１１３においてこのパターンを検出することにより、フレーム位置、すなわちロングコード位相を検出することができる。このロングコード位相で、ロングコードタイミング発生部１１４によってロングコードタイミングを得る。
【００７３】
次に、ロングコード同定工程では、ロングコード×ショートコード発生部１１９において、得られたロングコードタイミングで、ロングコード×ショートコードのレプリカコードを発生させる。このとき、レプリカコードは、同定したロングコードグループ内で順次ロングコードを変えながら発生させる。そして、相関器１１５において、このレプリカコードとマスクシンボル以外のシンボルとの間で相関をとる。この相関値を電力変換部１１６で電力値に変換し、積分部１１７で規定シンボル数にわたって電力値を積分する。閾値判定部１１８において、最大値検出部１０６で検出した全基地局共通のショートコードの相関電力値の最大値から算出した閾値と前記積分値とを比較し、積分値が閾値を超えたときのロングコードをその基地局のロングコードと同定する。
【００７４】
従来の方法では、ロングコード同定工程において、１つのロングコードで位相をスロット単位でずらしてスロットの数だけロングコードの相関値を取らなければならない。一方、本実施形態の方法によれば、１つのロングコードについてスロットの数だけロングコードの相関値を取る必要がない。したがって、スロットの数をＮとすると、本実施形態の方法は、従来の方法に比べて、ロングコード同定工程に要する時間がＮ分の１倍となる。
【００７５】
このように、本実施形態によれば、送信側で、１フレーム中の全基地局共通のショートコードで拡散したロングコードマスクシンボルに、ロングコードグループ識別ショートコードで拡散したマスクシンボルを所定のパターンで多重化して送信し、受信側の初期同期部で、ロングコードグループ識別ショートコードの同定工程において、そのパターンを検出してロングコードの位相を検出する、例えばロングコードの先頭位置を検出する。その結果、初期同期にかかる時間を大幅に短縮することができる。
【００７６】
（第２の実施形態）
本実施形態においては、全基地局共通のショートコード及び／又はロングコードグループ識別ショートコードで拡散したパターンデータからロングコードの位相を検出するＣＤＭＡ無線通信装置について説明する。
【００７７】
図６は、本実施形態に係るＣＤＭＡ無線通信装置（移動体端末）の初期同期部の構成を示すブロック図である。図６において、図２と同じ部分については、図２と同じ符号を付してその説明は省略する。
【００７８】
マスクシンボルタイミング検出工程におけるマッチドフィルタ１０３の出力はデータ復調部１２１に送られ、その出力から、データ復調部１２１において全基地局共通のショートコードで拡散したマスクシンボルに含まれるデータが抽出される。抽出されたデータは、ロングコード位相検出部１２３に送られる。
【００７９】
ロングコードグループ同定工程における相関器１０８の出力はデータ復調部１２２に送られ、その出力から、ロングコードグループ識別ショートコードで拡散したマスクシンボルに含まれるデータが抽出される。抽出されたデータは、ロングコード位相検出部１２３に送られる。
【００８０】
ロングコード位相検出部１２３では、データ復調部１２１及び／又はデータ復調部１２２からのデータから、ロングコード位相が検出される。このロングコード位相がロングコードタイミング発生部１１４に送られる。なお、データ復調部１２２のデータを用いる場合、ロングコードグループ識別ショートコードが同定された後にデータ復調部１２２でデータ復調を行なう。
【００８１】
上記構成を有するＣＤＭＡ無線通信装置の初期同期部の動作について説明する。まず、送信側（基地局）では、図７に示すように、等間隔でスロットごとにロングコードをマスクしたマスクシンボルを設けるようにフレーム構成を行なう。ここでは説明を簡単にするため、スロットの先頭にマスクシンボルを設ける場合について説明する。
【００８２】
図７に示すフレーム構成においては、ロングコードがフレーム周期で繰り返されており、ロングコードの先頭がフレームの先頭となっている。また、このフレーム構成においては、マスクシンボルについて、全基地局共通のショートコードのみで拡散したデータと、ロングコードグループ識別ショートコードのみで拡散したデータとが多重化されている。一方、その他のシンボルについては、全基地局共通のショートコードと基地局固有のロングコードとで２重に拡散される。
【００８３】
このとき、全基地局共通のショートコード及び／又はロングコードグループ識別ショートコードで拡散されるデータとしてロングコード位相情報を用いる。ロングコード位相情報（パターンデータ）は、フレーム内で閉じた状態で含まれており、毎フレーム同じものが送信される。
【００８４】
受信側（移動体端末）では、ロングコードタイミングの検出、ロングコードグループの同定、及びロングコードの同定の順でセルサーチ処理が行なわれる。
【００８５】
まず、ロングコードタイミング検出工程において、受信されたデータ（入力信号１２０）は、マッチドフィルタ１０３で全基地局共通のショートコードとの間で相関処理され、その相関値はチップ速度で出力される。相関値の出力データは、電力変換部１０４で電力値に変換される。この電力値はメモリ１０２に格納され、メモリ１０２に格納された電力値は、平均化部１０５で複数スロット分、足し合わされ、規定回数で平均化される。
【００８６】
相関値（電力値）は、図６に示すように、マスクシンボルの位置で最大となる。したがって、平均化部１０５での平均化した電力値もマスクシンボルの位置で最大となる。この最大値を最大値検出部１０６で検出し、この最大値に基づいてマスクシンボルタイミング発生部１０７でマスクシンボルタイミング、すなわちスロットのタイミングを検出する。
【００８７】
また、データ復調部１２１では、マッチドフィルタ１０３からの全基地局共通のショートコードについての相関出力を、マスクシンボルについてのみデータ復調し、データを抽出する。この場合、あらかじめ送られてくるデータパターンが分かっていれば、抽出したデータのパターンを検出することにより、そのパターンの位相からロングコード位相を検出できる。これにより、ロングコードタイミングを得る。
【００８８】
次に、ロングコードグループ同定工程において、検出したマスクシンボルタイミングで、ロングコードグループ識別ショートコード発生部１１２が、順次すべてのロングコードグループ識別ショートコードを変化させて発生させ、相関器１０８においてこのロングコードグループ識別ショートコードと入力信号におけるマスクシンボルとの相関をとる。積分部１１０では、マスクシンボルとロングコードグループ識別ショートコードとの間の相関電力値を規定シンボル数積分する。最大値検出部１１１において、すべてのロングコードグループ識別ショートコードのうちで積分値が最大のものを、その基地局のロングコードグループ識別ショートコードと同定する。
【００８９】
次に、ロングコード同定工程では、ロングコード×ショートコード発生部１１９において、得られたロングコードタイミングで、ロングコード×ショートコードのレプリカコードを発生させる。このとき、レプリカコードは、同定したロングコードグループ内でロングコードを順次変えながら発生させる。そして、相関器１１５において、このレプリカコードとマスクシンボル以外のシンボルとの間で相関をとる。この相関値を電力変換部１１６で電力値に変換し、積分部１１７で規定シンボル数にわたって電力値を積分する。閾値判定部１１８において、最大値検出部１０６で検出した全基地局共通のショートコードの相関電力値の最大値から算出した閾値と前記積分値とを比較し、積分値が閾値を超えたときのロングコードをその基地局のロングコードと同定する。
【００９０】
なお、上記方法においては、ロングコードグループ識別ショートコードを同定した後に、データ復調部１２２を用いて、ロングコードグループ識別ショートコードによって拡散したデータを抽出し、そのパターンから、ロングコード位相を検出しても良い。
【００９１】
このように、本実施形態によれば、送信側で、１フレーム中のロングコードマスクシンボルに、ロングコード位相検出のためのパターンデータを割り当てて、全基地局共通のショートコード及び／又はロングコードグループ識別ショートコードで拡散して送信し、受信側の初期同期部では、マッチドフィルタの出力及び／又はロングコードグループ識別ショートコードの相関器の出力からパターンデータを抽出し、そのパターンからロングコード位相を検出する。その結果、１つのロングコードについてスロットの数だけロングコードの相関値を取る必要がなくなり、初期同期にかかる時間を大幅に短縮することができる。
【００９２】
（第３の実施形態）
本実施形態においては、マスクシンボルのデータをバッファメモリに保持し、このデータとロングコードグループ識別ショートコードとの相関処理を、１スロット内において時分割で行なうＣＤＭＡ無線通信装置について説明する。
【００９３】
図８は、本実施形態に係るＣＤＭＡ無線通信装置のロングコードグループ識別ショートコード同定部の構成を示すブロック図である。図８において、図６と同じ部分については、図６と同じ符号を付してその説明は省略する。図８に示すバッファメモリ１２４は、入力信号１２０のマスクシンボルのデータを保持する。
【００９４】
上記構成を有するロングコードグループ識別ショートコード同定部の動作について説明する。入力信号１２０のうち、マスクシンボルのデータだけが、バッファメモリ１２４に保持される。この場合、マスクシンボルについて、ロングコードグループ識別ショートコードとの間の相関を取ればよいので、１つのロングコードグループ識別ショートコードに対して１シンボル時間あれば良い。そして、１スロット中の残りの時間を用いて、バッファメモリ１２４の内容と他のロングコードグループ識別ショートコードとの相関を順次とり、ロングコードグループ識別ショートコードの相関を１スロット内において時分割で行なう。
【００９５】
このように、本実施形態によれば、受信側の初期同期部で、マスクシンボルのデータをバッファメモリに保持し、ロングコードグループ識別ショートコードの相関処理を１スロット内において時分割で行なうことにより、ロングコードグループ識別ショートコード同定にかかる時間を大幅に短縮することができる。
【００９６】
（第４の実施形態）
本実施形態においては、全基地局共通のショートコードで拡散したマスクシンボルと、ロングコードグループ識別ショートコードで拡散したマスクシンボルとを時間的に分離させたフレーム構成で通信を行なうＣＤＭＡ無線通信装置について説明する。
【００９７】
図９は、本実施形態における無線通信で使用されるフレームフォーマットを示す図である。送信側では、フレーム構成部において図９に示すフレームフォーマットを作成する。このフレーム構成においては、１スロットにマスクシンボルを２つ設け、それぞれのマスクシンボルに全基地局共通のショートコードで拡散したシンボルと、ロングコードグループ識別ショートコードで拡散したシンボルとを割り当てる。図９では説明を簡単にするため、１スロットにおいて前記２つのマスクシンボルは連続して設けている。
【００９８】
受信側では、ロングコードグループ同定工程において、タイミング検出工程で全基地局共通のショートコードの相関値から検出したマスクシンボル位置から１シンボル後の位置で、入力信号とロングコードグループ識別ショートコードとの間の相関処理を行ない、ロングコードグループ識別ショートコードを同定する。
【００９９】
本実施形態においては、フレームにおいてマスクシンボルを２つに分割して設けているので、１つのマスクシンボルに多重して送信した場合より相関値及び相関電力値が倍になる。したがって、ノイズやフェージングによる影響を受け難くなる。なお、本実施形態においては、ロングコードグループ識別ショートコードで拡散されたマスクシンボルが、全基地局共通のショートコードで拡散されたマスクシンボルの１シンボル後である場合について説明しているが、ロングコードグループ識別ショートコードで拡散されたマスクシンボルと全基地局共通のショートコードで拡散されたマスクシンボルとの位置関係がフレームフォーマットにおいて確定されていれば、すなわちパターン化されていれば、上記同様にセルサーチを行なうことができる。
【０１００】
このように、本実施形態によれば、無線通信システムの送信側で、全基地局共通のショートコードで拡散したマスクシンボルと、ロングコードグループ識別ショートコードで拡散したマスクシンボルとを、２つに分けて送信するので、受信側の初期同期部では、相関値及び相関電力値が大きくなる。その結果、このシステムにおいては、ノイズなどに強い状態で確実に初期同期をとることができる。
【０１０１】
（第５の実施形態）
本実施形態においては、全基地局共通のショートコードで拡散したパターンデータから、ロングコードグループ及びロングコードの位相を検出するＣＤＭＡ無線通信装置について説明する。
【０１０２】
図１０は、本実施形態に係るＣＤＭＡ無線通信装置（移動体端末）の初期同期部の構成を示すブロック図である。図１０において、図６と同じ部分については、図６と同じ符号を付してその説明は省略する。図１０に示す初期同期部は、図６に示す初期同期部においてロングコードグループ同定工程に関する構成を除いた構成を有する。すなわち、図１０に示す初期同期部は、図６に示す初期同期部から相関器１０８、電力変換部１０９、積分部１１０、最大値検出部１１１、ロングコードグループ識別ショートコード発生部１１２、及びデータ復調部１２２を除き、ロングコード位相検出部１２３の代わりにロングコードグループ検出部１２６を設けた構成を有する。ロングコードグループ検出部１２６は、データ復調部１２１でマッチドフィルタ１０３の出力を復調したデータから、ロングコードグループ及びロングコード位相を検出する。
【０１０３】
上記構成を有するＣＤＭＡ無線通信装置の初期同期部の動作について説明する。まず送信側では、図１１に示すように、送信信号について、スロットごとにロングコードをマスクしたマスクシンボルを等間隔に設けるようにフレーム構成を行なう。ここでは説明を簡単にするため、スロットの先頭にマスクシンボルを設ける場合について説明する。
【０１０４】
図１１に示すフレーム構成においては、ロングコードがフレーム周期で繰り返されており、ロングコードの先頭がフレームの先頭となっている。また、このフレーム構成においては、全基地局共通のショートコードのみで拡散したロングコードグループ識別データを、マスクシンボルとしている。一方、その他のシンボルについては、全基地局共通のショートコードと基地局固有のロングコードとで２重に拡散される。なお、ロングコードグループ識別データは、フレーム内で閉じた状態で含まれており、毎フレーム繰り返して送信される。
【０１０５】
受信側（移動体端末）では、第１の実施形態と同様に、マスクシンボルタイミング検出工程において、マッチドフィルタ１０３で入力信号１２０と全基地局共通のショートコードとの相関をとり、その相関値からマスクシンボルのタイミングを求める。
【０１０６】
次に、ロングコードグループ同定工程において、データ復調部１２１で、マッチドフィルタ１０３からの相関出力のうちのマスクシンボルのみについてのデータを復調し、ロングコードグループ識別データのパターンを抽出する。次いで、抽出したロングコードグループ識別データのパターンと、あらかじめ分かっている数種類のロングコードグループ識別データのパターンとのマッチングをとることにより、ロングコードグループを同定すると共に、ロングコード位相を検出する。これにより、ロングコードタイミングを得る。
【０１０７】
次に、ロングコード同定工程では、ロングコード×ショートコード発生部１１９において、得られたロングコードタイミングで、ロングコード×ショートコードのレプリカコードを発生させる。このとき、レプリカコードは、同定したロングコードグループ内で順次ロングコードを変えながら発生させる。そして、相関器１１５において、このレプリカコードとマスクシンボル以外のシンボルとの間で相関をとる。この相関値を電力変換部１１６で電力値に変換し、積分部１１７で規定シンボル数にわたって電力値を積分する。閾値判定部１１８において、最大値検出部１０６で検出した全基地局共通のショートコードの相関電力値の最大値から算出した閾値と前記積分値とを比較し、積分値が閾値を超えたときのロングコードをその基地局のロングコードと同定する。
【０１０８】
このように、本実施形態によれば、送信側で、ロングコードグループ検出のためのパターンデータを全基地局共通のショートコードで拡散したロングコードマスクシンボルを送信し、受信側の初期同期部では、マッチドフィルタの出力からパターンデータを抽出し、そのパターンデータからロングコードグループの同定及びロングコード位相の検出を行なう。その結果、初期同期にかかる時間を大幅に短縮することができ、ハードウェアを減少できる。
【０１０９】
（第６の実施形態）
本実施形態においては、２つのマスクシンボルの位置関係からロングコードグループを同定するＣＤＭＡ無線通信装置について説明する。図１２は、本実施形態に係るＣＤＭＡ無線通信装置（移動体端末）の初期同期部の構成を示すブロック図である。図１２において、図１０と同じ部分については、図１０と同じ符号を付してその説明は省略する。図１２に示す初期同期部は、図１０に示す初期同期部においてデータ復調部１２１及びロングコードタイミング発生部１１４を除いた構成を有する。この初期同期部において、ロングコードグループ検出部１２６は、最大値検出部１０６の出力、すなわち２つの全基地局共通のショートコードの最大値からロングコードグループを同定する。
【０１１０】
上記構成を有するＣＤＭＡ無線通信装置の初期同期部の動作について説明する。送信側では、図１３に示すように、１スロット内にロングコードをマスクした２つのマスクシンボルを設けるようにフレーム構成を行なう。ここでは説明を簡単にするため、１つのマスクシンボルをスロットの先頭とし、もう一方のマスクシンボルをスロット内に設ける。具体的には、第１の全基地局共通のショートコードのみで拡散したシンボルをスロットの先頭のマスクシンボルに割り当て、第２の全基地局共通のショートコードで拡散したシンボルを残りのマスクシンボルに割り当てる。この場合、スロットにおける２つのマスクシンボルの位置関係（パターン）がロングコードグループと対応している。したがって、２つのマスクシンボルの位置関係を識別することにより、ロングコードグループの同定を行なうことができる。
【０１１１】
受信側（移動体端末）では、マスクシンボルタイミング検出工程において、入力信号１２０は、マッチドフィルタ１０３で、共通のショートコード発生器１０１で発生した第１の全基地局共通のショートコードとの間で相関処理される。その相関出力データは、電力変換部１０４で電力値に変換される。この電力値はメモリ１０２に格納され、メモリ１０２に格納された電力値は、平均化部１０５で複数スロット分、足し合わされ、規定回数で平均化される。平均化した相関電力値の最大値を最大値検出部１０６で検出し、この最大値に基づいてマスクシンボルタイミング発生部１０７でマスクシンボルタイミング、すなわちスロットのタイミングを検出する。
【０１１２】
次に、ロングコードグループ同定工程において、マッチドフィルタ１０３で、共通のショートコード発生部１０１で発生した第２の全基地局共通のショートコードと入力信号１２０との相関をとる。その相関出力データは、電力変換部１０４で電力値に変換される。この電力値はメモリ１０２に格納され、メモリ１０２に格納された電力値は、平均化部１０５で複数スロット分、足し合わされ、規定回数で平均化される。この平均化された電力値の最大値を最大値検出部１０６で検出する。この最大値と先に検出したスロットのタイミングとは、ロングコードグループ検出部１２６に送られる。ロングコードグループ検出部１２６においては、先に検出したスロットのタイミングと、最大値が得られるタイミングとを用いて、スロットにおけるマスクシンボルの位置関係（スロット内において、最大の相関値が得られるシンボルの位置関係）を認識し、その位置関係に対応するロングコードグループを同定する。
【０１１３】
次に、ロングコード同定工程において、同定されたロングコードグループに含まれるロングコード候補から、１つのロングコードについて、スロットの数だけ位相を変化させながら入力信号と相関をとる。また、閾値判定部１１８で相関電力値の積分値が閾値を超えるロングコードが得られるまで、順次候補の中からロングコードを変えて相関処理を行なう。積分値が閾値を超えるロングコードをその基地局のロングコードと同定し、そのスロットのタイミングをロングコードの位相と同定する。
【０１１４】
このように、本実施形態によれば、送信側で、全基地局共通のショートコードで拡散した２つのマスクシンボルを送信し、受信側の初期同期部では、ロングコードグループ識別ショートコードを用いずに、２つのマスクシンボルの位置関係からロングコードグループを検出する。これにより、ハードウェア規模を小さくし、初期同期時間を短縮することができる。
【０１１５】
本実施形態においては、スロット内にマスクシンボルを２つ設ける場合について説明しているが、本発明は、スロット内のマスクシンボルが３つ以上の複数であっても良い。
【０１１６】
（第７の実施形態）
本実施形態においては、ロングコード位相情報パターンからロングコード位相を検出するＣＤＭＡ無線通信装置について説明する。図１４は、本実施形態に係るＣＤＭＡ無線通信装置（移動体端末）の初期同期部の構成を示すブロック図である。図１４において、図１０と同じ部分については図１０と同じ符号を付してその説明は省略する。図１４に示すＣＤＭＡ無線通信装置においては、データ復調部１２１で抽出されたデータを用いて、ロングコード位相検出部１２３でロングコード位相を検出する。
【０１１７】
上記構成を有するＣＤＭＡ無線通信装置の初期同期部の動作について説明する。送信側では、第６の実施の形態と同様に、図１３に示すように、１スロット内にロングコードをマスクした２つのマスクシンボルを設けるようにフレーム構成を行なう。ここでは説明を簡単にするため、１つのマスクシンボルをスロットの先頭とし、もう一方のマスクシンボルをスロット内に設ける。具体的には、第１の全基地局共通のショートコードのみで拡散したシンボルをスロットの先頭のマスクシンボルに割り当て、第２の全基地局共通のショートコードで拡散したシンボルを残りのマスクシンボルに割り当てる。この場合、第１及び第２の全基地局共通のショートコードで拡散するデータには、ロングコード位相情報を与えるパターンが含まれている。また、スロットにおける２つのマスクシンボルの位置関係（パターン）がロングコードグループと対応している。したがって、２つのマスクシンボルの位置関係を識別することにより、ロングコードグループの同定を行なうことができる。
【０１１８】
受信側（移動体端末）では、マスクシンボルタイミング検出工程において、入力信号１２０は、マッチドフィルタ１０３で、共通のショートコード発生部１０１で発生した第１の全基地局共通のショートコードとの間で相関処理される。その相関出力データは、電力変換部１０４で電力値に変換される。この電力値はメモリ１０２に格納され、メモリ１０２に格納された電力値は、平均化部１０５で複数スロット分、足し合わされ、規定回数で平均化される。平均化した相関電力値の最大値を最大値検出部１０６で検出し、この最大値に基づいてマスクシンボルタイミング発生部１０７でマスクシンボルタイミング、すなわちスロットのタイミングを検出する。
【０１１９】
次に、ロングコードグループ同定工程において、マッチドフィルタ１０３で、共通のショートコード発生部１０１で発生した第２の全基地局共通のショートコードと入力信号１２０との相関をとる。その相関出力データは、電力変換部１０４で電力値に変換される。この電力値はメモリ１０２に格納され、メモリ１０２に格納された電力値は、平均化部１０５で複数スロット分、足し合わされ、規定回数で平均化される。この平均化された電力値の最大値を最大値検出部１０６で検出する。この最大値と先に検出したスロットのタイミングとは、ロングコードグループ検出部１２６に送られる。ロングコードグループ検出部１２６においては、先に検出したスロットのタイミングと、最大値が得られるタイミングとを用いて、スロットにおけるマスクシンボルの位置関係（スロット内において、最大の相関値が得られるシンボルの位置関係）を認識し、その位置関係に対応するロングコードグループを同定する。
【０１２０】
また、データ復調部１２１では、マッチドフィルタ１０３からの相関出力のうちのマスクシンボルについてのみデータ復調を行ない、データを抽出する。このデータは、ロングコード位相情報を与える既知のパターンであるので、抽出したパターンデータの位相からロングコード位相（フレームの先頭のスロット）を検出することができる。
【０１２１】
次に、ロングコード同定工程において、同定されたロングコードグループに含まれるロングコード候補から、検出したロングコード位相で、順次ロングコードを変えて入力信号と相関処理を行ない、相関電力値を求めて、その相関電力値を積分する。閾値判定部１１８で相関電力値の積分値が閾値を超えるロングコードが得られるまで、順次候補の中からロングコードを変えて相関処理を行なう。積分値が閾値を超えるロングコードをその基地局のロングコードと同定する。
【０１２２】
このように、本実施形態によれば、送信側で、全基地局共通のショートコードで拡散したロングコード位相情報をもつ２つのマスクシンボルを送信し、受信側の初期同期部では、ロングコードグループ識別ショートコードを用いずに、２つのマスクシンボルの位置関係からロングコードグループを検出し、ロングコード位相情報からロングコード位相を検出する。これにより、ハードウェア規模を小さくし、初期同期時間を短縮することができる。
【０１２３】
（第８の実施形態）
本実施形態においては、ロングコードの種類を与えるパターンとロングコードグループとから、ロングコード種類を求めるＣＤＭＡ無線通信装置について説明する。図１５は、本実施形態に係るＣＤＭＡ無線通信装置（移動体端末）の初期同期部の構成を示すブロック図である。図１５において、図１４と同じ部分については図１４と同じ符号を付してその説明は省略する。図１５に示すＣＤＭＡ無線通信装置においては、データ復調部１２１で抽出されたデータを用いて、ロングコード種類検出部１２７でロングコードの種類をを検出する。このロングコードの種類はロングコード×ショートコード発生部１１９に送られる。
【０１２４】
上記構成を有するＣＤＭＡ無線通信装置の初期同期部の動作について説明する。送信側では、第６の実施の形態と同様に、図１３に示すように、１スロット内にロングコードをマスクした２つのマスクシンボルを設けるようにフレーム構成を行なう。ここでは説明を簡単にするため、１つのマスクシンボルをスロットの先頭とし、もう一方のマスクシンボルをスロット内に設ける。具体的には、第１の全基地局共通のショートコードのみで拡散したシンボルをスロットの先頭のマスクシンボルに割り当て、第２の全基地局共通のショートコードで拡散したシンボルを残りのマスクシンボルに割り当てる。この場合、第１及び第２の全基地局共通のショートコードで拡散するデータには、ロングコードの種類を与えるパターンが含まれている。また、スロットにおける２つのマスクシンボルの位置関係（パターン）がロングコードグループと対応している。したがって、２つのマスクシンボルの位置関係を識別することにより、ロングコードグループの同定を行なうことができる。
【０１２５】
受信側では、第６の実施形態と同様に、第１の全基地局共通のショートコード及び第２の全基地局共通のショートコードを用いて、スロットタイミングの検出を行なう。また、スロットにおける２つのマスクシンボルの位置関係からロングコードグループを同定する。
【０１２６】
これと同時に、データ復調部１２１において、マッチドフィルタ１０３からの相関出力のうちのマスクシンボルについてのみデータ復調を行ない、パターンデータを抽出する。ロングコード位相検出部１２３において、パターンマッチングにより、ロングコードの種類と、ロングコード位相を検出する。このようにして、ロングコードグループの同定、並びにロングコードの種類及び位相を一度に求めている。この場合、確認のために、同定したロングコードを用いて入力信号との間で相関処理を行ない、上記実施形態と同様に閾値判定をするようにしても良い。
【０１２７】
このように、本実施形態によれば、送信側で、全基地局共通のショートコードで拡散したロングコード種類情報をもつ２つのマスクシンボルを送信し、受信側の初期同期部では、ロングコードグループ識別ショートコードを用いずに、マスクシンボルを復調してロングコードの種類及びロングコード位相を検出する。これにより、ハードウェア規模を小さくし、初期同期時間を短縮することができる。
【０１２８】
なお、上記第１〜第８の実施形態においては、ＣＤＭＡ無線通信装置が移動体端末である場合について説明しているが、本発明は、ＣＤＭＡ無線通信装置が移動体でない通信端末である場合にも適用することができる。
【０１２９】
上記第１〜第８の実施形態においては、フレームにおいて、スロット先頭にマスクシンボルが位置する場合について説明しているが、本発明においては、フレームにおいてスロット内にマスクシンボルが存在していれば、同様の効果を発揮することができる。
【０１３０】
また、本発明は上記第１〜第８の実施形態に制限されず、種々変更して実施することが可能である。また、上記第１〜第８の実施形態は、適宜組み合わせて実施することが可能である。
【０１３１】
以上のように本発明においては、ロングコードグループ識別ショートコードで拡散したマスクシンボルを、全基地局共通のショートコードで拡散したマスクシンボルに多重化する位置をパターン化し、ロングコードグループ識別ショートコード検出時に前記パターンを検出してロングコード位相を求める。これにより、ハードウェア規模を増加させずにロングコード同定にかかる時間を大幅に短縮することができる。
【０１３２】
また、本発明においては、ロングコード位相情報又はロングコードグループ情報をマスクシンボルのデータに用いる。これにより、ロングコード同定にかかる時間を大幅に短縮することができる。さらに、本発明においては、複数の全基地局共通のショートコードを用いて１スロット内のマスクシンボルを複数にし、その位置関係からロングコードグループを判別する。これにより、ロングコード同定にかかる時間を大幅に短縮することができる。
【図面の簡単な説明】
【０１３３】
【図１】本発明の第１の実施形態に係るＣＤＭＡ無線通信システムの概略構成を示すブロック図
【図２】本発明の第１の実施形態に係るＣＤＭＡ無線通信装置の初期同期部の構成を示すブロック図
【図３】本発明の第１の実施形態における送信側のフレームフォーマットを示す図
【図４】本発明の第１の実施形態における全基地局共通のショートコード相関電力値を示す図
【図５】本発明の第１の実施形態におけるロングコードグループ識別ショートコードの相関値を用いたフレーム位置検出のためのタイミングを説明するための図
【図６】本発明の第２の実施形態に係るＣＤＭＡ無線通信装置の初期同期部の構成を示すブロック図
【図７】本発明の第２の実施形態における送信側のフレームフォーマットを示す図
【図８】本発明の第３の実施形態におけるロングコードグループ識別ショートコード同定部の構成を示すブロック図
【図９】本発明の第４の実施形態における送信側のフレームフォーマットを示す図
【図１０】本発明の第５の実施形態に係るＣＤＭＡ無線通信装置の初期同期部の構成を示すブロック図
【図１１】本発明の第５の実施形態における送信側のフレームフォーマットを示す図
【図１２】本発明の第６の実施形態に係るＣＤＭＡ無線通信装置の初期同期部の構成を示すブロック図
【図１３】本発明の第６の実施形態における送信側のフレームフォーマットを示す図
【図１４】本発明の第７の実施形態に係るＣＤＭＡ無線通信装置の初期同期部の構成を示すブロック図
【図１５】本発明の第８の実施形態に係るＣＤＭＡ無線通信装置の初期同期部の構成を示すブロック図
【図１６】従来のＣＤＭＡ無線通信装置の初期同期部の構成を示すブロック図
【符号の説明】
【０１３４】
１０１  共通ショートコード発生部
１０３  マッチドフィルタ
１０７  マスクシンボルタイミング発生部
１１２  ロングコードグループ識別ショートコード発生部
１１３  パターン検出部
１１４  ロングコードタイミング発生部
１１９  ロングコード×ショートコード発生部
１２３  ロングコード位相検出部
１２４  バッファメモリ
１２６  ロングコードグループ検出部
１２７  ロングコード種類検出部
【図１】
2007202199.tif 000003
【図２】
2007202199.tif 000004
【図３】
2007202199.tif 000005
【図４】
2007202199.tif 000006
【図５】
2007202199.tif 000007
【図６】
2007202199.tif 000008
【図７】
2007202199.tif 000009
【図８】
2007202199.tif 000010
【図９】
2007202199.tif 000011
【図１０】
2007202199.tif 000012
【図１１】
2007202199.tif 000013
【図１２】
2007202199.tif 000014
【図１３】
2007202199.tif 000015
【図１４】
2007202199.tif 000016
【図１５】
2007202199.tif 000017
【図１６】
2007202199.tif 000018